(57)【特許請求の範囲】
【請求項１】
筐体にスライド可能に取り付けられ、スライド開始位置から係止位置へスライドさせることにより前記筐体に係止されてその一部を被覆するカバーのロック機構において、
前記カバーのスライド方向先端の筐体位置に設けた第１係止部と、
前記カバーに設けられ、前記係止位置で前記筐体の第１係止部に係止される第１係止用爪部と、
前記カバーのスライド方向に沿った筐体位置に設けた第２係止部と、
前記カバーのスライド方向に沿った端部に設けられ、前記係止位置で前記筐体の第２係止部に係止される第２係止用爪部と、
前記カバーの外表面部に設けられ、前記第１係止部による前記第１係止用爪部の係止を解除するための外力を印加する第１外力印加部と、
前記カバーの外表面部に設けられ、前記第２係止部による前記第２係止用爪部の係止を解除するための外力を印加する第２外力印加部とを備え、
前記第２係止部は、前記第２係止用爪部を係止する咬合部、当該咬合部のカバースライド方向後端側に前記第２係止用爪が引っかからない大きさに開口した係脱部、および、当該咬合部と当該係脱部との間に設けられ前記第２係止用爪を掛止して前記カバーのスライド方向と対向する方向へのスライドを阻止するスライド防止用突起部から構成され、
前記第１外力印加部に印加される外力により前記第１係止用爪部と前記第１係止部の係止を解除し、前記カバーを前記係止位置から前記スライド開始位置までスライドさせながら、前記第２外力印加部に印加される外力により前記第２係止用爪部が前記スライド防止用突起部を乗り越えて前記係脱部に移動して、前記カバーが前記筐体から取り外されることを特徴とするカバーのロック機構。
【請求項２】
カバーの長手方向に沿って係止位置までスライドさせることにより、当該筐体の一部を被覆することを特徴とする請求項１記載のカバーのロック機構。
【請求項３】
カバーの短手方向に沿って係止位置までスライドさせることにより、当該筐体の一部を被覆することを特徴とする請求項１記載のカバーのロック機構。
【請求項４】
カバーは、平面形状を有しており、筐体の開口周縁部にスライドさせて前記開口部を被覆することを特徴とする請求項１記載のカバーのロック機構。
【請求項５】
第１係止部と第１係止用爪部を複数設けたことを特徴とする請求項１から請求項４のうちのいずれか１項記載のカバーのロック機構。
【発明の詳細な説明】
【技術分野】
【０００１】
この発明は、筐体にカバーをロックするためのロック機構に関するものである。
【背景技術】
【０００２】
内部に通信機器等の電子機器を設置した装置では、工事作業者が装置筐体にロックされたカバーを外して、内部の電子機器の設定および工事を行う。その後再び、カバーが筐体にロックされる。
【０００３】
筐体にロックされるカバーは、エンドユーザに開閉させることを想定した構造のカバーと、エンドユーザに開閉させないことを想定した構造のカバーとに分類できる。エンドユーザに開閉させることを想定した場合、筐体側端に係合部を突設し、カバー側端に係合部と係合する折り曲げ部を形成して、カバーを筐体にロックするロック機構を形成していた（例えば特許文献１）。このロック機構の場合、エンドユーザは係合部分を変形させながら、ずらすという２動作を行ってカバーを筐体から外す。目視しうる範囲に係合部が形成されているため、エンドユーザはロック機構を容易に解除できる。
【０００４】
一方、光通信機器を内部に設置した光通信装置は、エンドユーザが光コネクタを外してレーザを直視する危険があるため、エンドユーザによるカバーの開閉を防止する必要がある。このように、エンドユーザに開閉させないことを想定した場合、筐体の内壁の一部に係止用突起部を形成し、カバーの内壁近傍に係止用突起部と係止する係止用窓部を設ける。また、筐体内壁の左右壁側には外側に向かって突出した複数の突起部を形成し、カバー内壁の左右壁側には、これら複数の突起部と係合するように、内側に向かって突出した複数の突起部を形成する。さらに、留め具であるキャップに突起部が形成され、キャップ突起部と係合する切り欠き部を筐体側端およびカバー側端にそれぞれ形成する。各部を係合させた後にキャップを装着することで、筐体およびカバーの上下移動を規制してロックするロック機構を形成していた（例えば特許文献２）。
【０００５】
このロック機構の場合、エンドユーザは、キャップを取り外した後、係合部分を変形させながら、ずらすという動作を行ってカバーを筐体から外す。２動作は上記同様であるが、目視できない範囲に係合部が形成されているため、エンドユーザがロック機構の構造を想定しにくく、解除することは困難である。そのため、筐体内部装置の設定変更、いたずら等を防止できる。
【０００６】
また、ねじ頭の形状が特殊なねじを用いてカバーを筐体に螺合する場合もあった（例えば特許文献３）。この場合にも、カバー開閉のためには専用のドライバが必要となるため、専用ドライバを持たないエンドユーザにはカバーを開閉することは困難である。そのため、筐体内部装置の設定変更、いたずら等を防止できる。
【０００７】
【特許文献１】特開平７−２０２４５１号公報
【特許文献２】特開平１１−２３４３７８号公報
【特許文献３】特開平１０−３０６２５号公報
【発明の開示】
【発明が解決しようとする課題】
【０００８】
従来のロック機構は以上のように構成されているので、特許文献１に開示されたロック機構の解除は、工事作業者およびエンドユーザ共に容易である。従って、エンドユーザによる筐体内部装置の設定変更、いたずら等を防止することができないという課題があった。
また、特許文献２に開示されたロック機構は、筐体およびカバーに加えて留め具が別途必要となり、部品点数が増えることによって装置が高価になるという課題があった。さらに、ロック機構の構造が複雑であるため、開閉する際に突起部を破壊してしまう恐れがあった。
【０００９】
また、特許文献３に開示された特殊ねじを用いて、カバーを筐体にロックした場合、特殊ねじは一般的なねじに比べて高価であり、組立解体作業性も悪いため、装置が高価になるという課題があった。また、カバー開閉に専用のドライバを持って行かねばならず、さらに紛失しないよう管理する必要もあり、不便であった。
【００１０】
この発明は、上記のような課題を解決するためになされたもので、特殊な工具を使用することなく簡便に開閉できると共に、外観からは構造が推測しにくく、カバーと筐体以外に追加部品を必要としないロック機構を得ることを目的とする。
【課題を解決するための手段】
【００１１】
この発明に係るカバーのロック機構は、筐体にスライド可能に取り付けられ、スライド開始位置から係止位置へスライドさせることにより筐体に係止されてその一部を被覆するカバーのロック機構において、カバーのスライド方向先端の筐体位置に設けた第１係止部と、カバーに設けられ、係止位置で筐体の第１係止部に係止される第１係止用爪部と、カバーのスライド方向に沿った筐体位置に設けた第２係止部と、カバーのスライド方向に沿った端部に設けられ、係止位置で筐体の第２係止部に係止される第２係止用爪部と、カバーの外表面部に設けられ、第１係止部による第１係止用爪部の係止を解除するための外力を印加する第１外力印加部と、カバーの外表面部に設けられ、第２係止部による第２係止用爪部の係止を解除するための外力を印加する第２外力印加部とを備え、第２係止部は、第２係止用爪部を係止する咬合部、当該咬合部のカバースライド方向後端側に第２係止用爪が引っかからない大きさに開口した係脱部、および、当該咬合部と当該係脱部との間に設けられ第２係止用爪を掛止してカバーのスライド方向と対向する方向へのスライドを阻止するスライド防止用突起部から構成され、第１外力印加部に印加される外力により第１係止用爪部と第１係止部の係止を解除し、カバーを係止位置からスライド開始位置までスライドさせながら、第２外力印加部に印加される外力により第２係止用爪部がスライド防止用突起部を乗り越えて係脱部に移動して、カバーが筐体から取り外されるようにしたものである。
【発明の効果】
【００１２】
この発明によれば、筐体にスライド可能に取り付けられ、スライド開始位置から係止位置へスライドさせることにより筐体に係止されてその一部を被覆するカバーのロック機構において、カバーのスライド方向先端の筐体位置に設けた第１係止部と、カバーに設けられ、係止位置で筐体の第１係止部に係止される第１係止用爪部と、カバーのスライド方向に沿った筐体位置に設けた第２係止部と、カバーのスライド方向に沿った端部に設けられ、係止位置で筐体の第２係止部に係止される第２係止用爪部と、カバーの外表面部に設けられ、第１係止部による第１係止用爪部の係止を解除するための外力を印加する第１外力印加部と、カバーの外表面部に設けられ、第２係止部による第２係止用爪部の係止を解除するための外力を印加する第２外力印加部とを備え、第２係止部は、第２係止用爪部を係止する咬合部、当該咬合部のカバースライド方向後端側に第２係止用爪が引っかからない大きさに開口した係脱部、および、当該咬合部と当該係脱部との間に設けられ第２係止用爪を掛止してカバーのスライド方向と対向する方向へのスライドを阻止するスライド防止用突起部から構成され、第１外力印加部に印加される外力により第１係止用爪部と第１係止部の係止を解除し、カバーを係止位置からスライド開始位置までスライドさせながら、第２外力印加部に印加される外力により第２係止用爪部がスライド防止用突起部を乗り越えて係脱部に移動して、カバーが筐体から取り外されるようにしたので、特殊な工具を使用することなく簡便に開閉できると共に、外観からは構造が推測しにくく、カバーと筐体以外に追加部品を必要としないロック機構を得ることができる。
【発明を実施するための最良の形態】
【００１３】
実施の形態１．
図１はおよび図２はそれぞれ、この発明の実施の形態１に係るロック機構の構成を示す外観斜視図である。なお、図２は図１のロック機構を奥側から手前側方向にみた状態を示す。本実施の形態１では、光通信装置に接続する光コネクタの挿着部分を保護する目的で設けられたカバーを筐体にロックするためのロック機構を例にとって説明する。
【００１４】
図１および図２に示す光通信装置は、光コネクタ８の挿着部分を保護するためのカバー１、光通信機器が内部に設置された筐体２、その光通信機器に接続される光コネクタ８から構成される。図１および図２ではカバー１と筐体２とのロックは解除されている。
カバー１には、第１係止用爪部３、第２係止用爪部５、光コネクタ８から伸びるケーブル９を筐体２外へ引き出すための切り欠き部１１が形成されている。第１係止用爪部３は、その先端を折り曲げ、カバー１上面と平行な方向に突設されている。第２係止用爪部５は、その先端を折り曲げ、第１係止用爪部３を突設した方向に対して鉛直な方向に突設されている。この第２係止用爪部５はカバー１の互いに向かい合わせとなる位置に１対形成した。
【００１５】
筐体２には、第１係止用爪部３を係止する第１係止部４、第２係止用爪部５を係止する第２係止部６、光コネクタ８を光通信機器に挿着するための光コネクタ挿着部１０が設けられている。図中に示されたスライド方向７は、カバー１を筐体２から取り外す際にカバー１を係止位置からスライド開始位置へスライドさせる方向を示す。
【００１６】
第１係止用爪部３を第１係止部４に係止する場合には第１係止用爪部３を第１係止部４へ押し込む。第１係止用爪部３の折り曲げられた先端が第１係止部４に引っかかることによって、第１係止用爪部３と第１係止部４とが係止し、カバー１はスライド方向７へスライドしなくなり、筐体２にロックされる。取り外す場合には、押さえ部（第１外力印加部）３ａを押して第１係止用爪部３の折り曲げられた先端が第１係止部４から出るように弾性変形させながら、第１係止用爪部３をスライド方向７へずらす。
【００１７】
第２係止部６は、咬合部６ａ、スライド防止用突起部６ｂおよび係脱部６ｃから構成される。咬合部６ａは、第２係止用爪部５を係止したときに、第２係止用爪部５の折り曲げられた先端が引っかかるような面積に設定された穴であり、先端と咬合する。また、係脱部６ｃは、第１係止部４とは逆側の咬合部６ａ隣に位置し、第２係止用爪部５の折り曲げられた先端が引っかからないようなクリアランスを有する面積に設定された穴であり、第２係止用爪部５は着脱自在である。これら咬合部６ａと係脱部６ｃとの間には、凸状のスライド防止用突起部６ｂが形成されている。
【００１８】
第２係止用爪部５を第２係止部６に係止する場合には、まず第２係止用爪部５を係脱部６ｃに挿し込み、押さえ部（第２外力印加部）５ａを押して第２係止用爪部５がスライド防止用突起部６ｂを回避するように弾性変形させながら、第２係止用爪部５を咬合部６ａへスライドする。咬合部６ａと第２係止用爪部５の折り曲がった先端とは合致するように形成されているため、第２係止用爪部５を咬合部６ａから引き上げることはできない。また、スライド防止用突起部６ｂが、第２係止用爪部５が係脱部６ｃ方向へスライドすることを防止している。この第２係止用爪部５と第２係止部６との係止により、カバー１はスライド方向７へスライドしなくなり、筐体２にロックされる。
【００１９】
取り外す場合には、押さえ部５ａを押して第２係止用爪部５がスライド防止用突起部６ｂを回避するように弾性変形させながら、第２係止用爪部５を係脱部６ｃへスライドし、第２係止用爪部５を係脱部６ｃから引き上げる。
【００２０】
次に、カバー１を筐体２に装着してロックする動作について説明する。まず、第２係止用爪部５を係脱部６ｃへ差し込む。そして、押さえ部３ａを押しながら第１係止用爪部３を第１係止部４へ押し込むと共に、押さえ部５を押しながら、カバー１をスライド方向７とは逆の方向へスライドさせ、第２係止用爪部５をスライド防止用突起部６ｂを避けて咬合部６ａへ入れる。合計３つの係止用爪部をそれぞれ対応する係止部へ差し込んで、各係止用爪部の折り曲げられた先端が各係止部に引っかかることによって、カバー１が筐体２にロックされる。
【００２１】
次に、カバー１を筐体２から取り外すためにロックを解除する動作について説明する。ロック解除の第１段階として、カバー１の押さえ部５ａを押して、咬合部６ａにある第２係止用爪部５がスライド防止用突起部６ｂを乗り越えられる位置にくるよう弾性変形させる。同時にカバー１の押さえ部３ａを押して、第１係止用爪部３と第１係止部４との係止を外す。この状態にすることで初めてカバー１をスライド方向７へスライド可能となる。そして、ロック解除の第２段階として、押さえ部５ａを押しながらカバー１をスライド方向７へスライドさせて、第２係止用爪部５を咬合部６ａから係脱部６ｃへ移動し、カバー１を持ち上げて、第２係止用爪部５を係脱部６ｃから引き上げる。
【００２２】
ロック機構は上述の手順で解除するため、第１係止部４または第２係止部６のどちらか一方の係止を外すだけでは、カバー１を筐体２から取り外すことはできない。例えば、押さえ部３ａを押すことで第１係止用爪部３と第１係止部４との係止は外れる。しかし、カバー１は第２係止用爪部５と第２係止部６との係止によって水平方向にも垂直方向にもロックされている。
【００２３】
また、例えば、押さえ部５ａを押すことで第２係止用爪部５がスライド防止用突起部６ｂを乗り越える位置に弾性変形する。しかし、第２係止用爪部５の折り曲がった先端が咬合部６ａに引っかかるために垂直方向にロックされ、かつ、第１係止用爪部３と第１係止部４とが係止しているために水平方向にもロックされている。
【００２４】
カバー１と筐体２の構成からスライド方向７へカバー１を外すことは容易に想像できるが、スライド防止用突起部６ｂが設けられているので、カバー１をスライドさせることができない。また、押さえ部が３箇所設けられているので、カバー１の取り付けおよび取り外し作業には両手を使う必要がある。そのため、ロック機構の構造を推測することは難く、エンドユーザがロックを解除してカバー１を筐体２から取り外すことは困難である。
【００２５】
また、留め具等の追加部品を用いず、カバー１と筐体２のみでロック機構を実現するため、装置を安価にすることができる。さらに、ロック機構の構造を予め知る工事作業者は、工具を使用することなくカバー１と筐体２との取り付けおよび取り外しを容易に行うことができるため、装置の組立解体等の作業性および保守性の向上を図ることができる。
【００２６】
以上のように、実施の形態１によれば、筐体２にスライド可能に取り付けられ、カバー１の長手方向に沿ってスライド開始位置から係止位置へスライドさせることにより筐体２に係止されてその一部を被覆するカバー１のロック機構において、カバー１のスライド方向先端の筐体位置に設けた第１係止部４と、カバー１に設けられ、係止位置で筐体２の第１係止部４に係止される第１係止用爪部３と、カバー１のスライド方向に沿った筐体位置に設けた第２係止部６と、カバーのスライド方向に沿った端部に設けられ、係止位置で筐体２の第２係止部６に係止される第２係止用爪部５と、カバー１のスライド方向に沿った筐体位置に設けられ、第２係止用爪部５を掛止してカバー１のスライド方向と対向する方向７へのスライドを阻止するスライド防止用突起部６ｂとを備え、カバー１は、第１係止部４による第１係止用爪部３の係止を解除すると共に、第２係止用爪部５と第２係止部６およびスライド防止用突起部６ｂとの係止を解除して係止位置からスライド開始位置までスライドさせることにより、筐体２から取り外されるように構成した。また、カバー１の外表面部に設けられ、第１係止部４による第１係止用爪部３の係止を解除するための外力を印加する押さえ部３ａと、カバー１の外表面部に設けられ、第２係用爪部５と第２係止部６およびスライド防止用突起部６ｂとの係止を解除するための外力を印加する押さえ部５ａとを備えるようにした。このため、特殊な工具を使用することなく簡便に開閉できると共に、外観からは構造が推測しにくく、カバーと筐体以外に追加部品を必要としないロック機構を得ることができる。
【００２７】
実施の形態２．
上述した実施の形態１では、ロック機構の解除のためにカバー１を水平方向にスライドするように、各係止部とそれぞれに対応する係止用爪部を配置する構成とした。この実施の形態２では、ロック機構の解除のためにカバー１を垂直方向にスライドするように、各係止部とそれぞれに対応する係止用爪部を配置する構成とする。
【００２８】
図３および図４はそれぞれ、この発明の実施の形態２に係るロック機構の構成を示す外観斜視図である。図３および図４において図１および図２と同一または相当の部分については同一の符号を付し説明を省略する。また、光コネクタ８およびケーブル９の図示および説明も省略する。
【００２９】
図３および図４に示す光通信装置において、切り欠き部１１が形成されたカバー１の側面端部に、第１係止用爪部１２がその側面と平行する方向に突設されている。また、第１係止用爪部１２を突設した方向に対して鉛直な方向に第２係止用爪部１４が突設されている。この第２係止用爪部１４はカバー１の互いに向かい合わせとなる位置に１対形成した。
【００３０】
筐体２には、第１係止用爪部１２を係止する第１係止部１３、第２係止用爪部１４を係止する第２係止部１５が設けられている。第２係止部１５は、咬合部１５ａ、スライド防止用突起部１５ｂおよび係脱部１５ｃから構成される。咬合部１５ａ、スライド防止用突起部１５ｂおよび係脱部１５ｃは、それぞれ上記実施の形態１に係るロック機構の咬合部６ａ、スライド防止用突起部６ｂおよび係脱部６ｃと同様の機能を有するため、ここでの詳細な説明は省略する。
【００３１】
次に、カバー１を筐体２に装着してロックする動作について説明する。まず、第２係止用爪部１４を係脱部１５ｃに挿し込む。そして、押さえ部１２ａを押しながら第１係止用爪部１２を第１係止部１３へ押し込むと共に、押さえ部１４ａを押しながら、カバー１をスライド方向１６とは逆の方向へスライドさせ、第２係止用爪部１４をスライド防止用突起部１５ｂを避けて咬合部１５ａへ入れる。合計３つの係止用爪部をそれぞれ対応する係止部へ差し込んで、各係止用爪部の折り曲げられた先端が各係止部に引っかかることによって、カバー１が筐体２にロックされる。
【００３２】
次に、カバー１を筐体２から取り外すためにロックを解除する動作について説明する。ロック解除の第１段階として、カバー１の押さえ部１４ａを押して、咬合部１５ａにある第２係止用爪部１４がスライド防止用突起部１５ｂを乗り越えられる位置にくるよう弾性変形させる。同時にカバー１の押さえ部１２ａを押して、第１係止用爪部１２と第１係止部１３との係止を外す。上記実施の形態１同様に、この状態にすることで初めてカバー１をスライド方向１６へスライド可能となる。そして、ロック解除の第２段階として、押さえ部１４ａを押しながらカバー１をスライド方向１６へスライドさせて、第２係止用爪部１４を咬合部１５ａから係脱部１５ｃへ移動し、カバー１を横へずらして、第２係止用爪部１４を係脱部１５ｃから引き抜く。
【００３３】
ロック機構は上述の手順で解除するため、第１係止部１３または第２係止部１５のどちらか一方の係止を外すだけでは、カバー１を筐体２から取り外すことはできない。例えば、押さえ部１２ａを押すことで第１係止用爪部１２と第１係止部１３との係止は外れる。しかし、カバー１は第２係止用爪部１４と第２係止部１５との係止によって水平方向にも垂直方向にもロックされている。
【００３４】
また、例えば、押さえ部１４ａを押すことで第２係止用爪部１４がスライド防止用突起部１５ｂを乗り越える位置に弾性変形する。しかし、第２係止用爪部１４の折り曲がった先端が咬合部１５ａに引っかかるために水平方向にロックされ、かつ、第１係止用爪部１２と第１係止部１３とが係止しているために垂直方向にもロックされている。
【００３５】
ロック機構の構造を知らないエンドユーザは、カバー１と筐体２の構成から、図１に示すスライド方向７へカバー１を外すと想像しやすい。しかし、ロック機構を解除するためにはカバー１はスライド方向１６へ持ち上げなければならず、エンドユーザには直感的に推測することが困難な方向へカバー１をスライドさせるロック機構となる。
【００３６】
以上のように、実施の形態２によれば、カバー１の短手方向に沿って係止位置までスライドさせることにより、筐体２の一部を被覆するようにした。このため、上記実施の形態１に示す効果に加えて、構造を知らないエンドユーザにとって予想外の方向にカバー１を取り外すことにより、エンドユーザがロックを解除することがさらに困難なロック機構を得ることができる。
【００３７】
実施の形態３．
上述の実施の形態１および２によるロック機構では、第１係止用爪部と第１係止部とを係止すると共に、第２係止用爪部と第２係止部とを係止する構成とした。第１係止用爪部と第２係止用爪部との間の距離が離れている場合には、第２係止用爪部がスライド防止用突起部に引っかかっていたとしても、エンドユーザが無理やり第１係止用爪部の押さえ部を押しながらスライド方向へスライドさせることで第１係止部の係止を外すことが可能となる。そうすると、第２係止部の構造がエンドユーザに見えてしまい、容易にロックを解除される恐れがある。そこで、この実施の形態３では無理やりロックを解除されることを想定して、上記実施の形態１および２のロック機構の第１係止部および第１係止用爪部をそれぞれ複数設ける構成とする。
【００３８】
図５および図６はそれぞれ、この発明の実施の形態３に係るロック機構の構成を示す外観斜視図である。図５および図６において図１−４と同一または相当の部分については同一の符号を付し説明を省略する。図５および図６に示す光通信装置のカバー１には、第１係止用爪部１２および第２係止用爪部１４に加えて、第３係止用爪部１７が形成されている。先端を折り曲げた第３係止用爪部１７は、第２係止用爪部１４を第２係止部１５から外すためにスライドさせるスライド方向１６と逆方向に突設するようにカバー１の側面端部に形成する。この第３係止用爪部１７はカバー１の互いに向かい合わせとなる位置に１対形成した。
【００３９】
筐体２には、第１係止用爪部１２を係止する第１係止部１３、第２係止用爪部１４を係止する第２係止部１５に加えて、第３係止用爪部１７を係止する第３係止部１８が設けられている。第３係止部１８は、第３係止用爪部１７が水平方向にスライドすることを規制するために、第３係止用爪部１７と略同幅を有する。
【００４０】
第３係止用爪部１７を第３係止部１８に係止する場合には、第３係止用爪部１７を第３係止部１８へ押し込む。第３係止用爪部１７の折り曲げられた先端が第３係止部１８に引っかかることによって、第３係止用爪部１７と第３係止部１８とが係止し、カバー１は水平方向および垂直方向にスライドしなくなり、筐体２にロックされる。取り外す場合には、押さえ部１７ａを押して第３係止用爪部１７の折り曲げられた先端が第３係止部１８から出るように弾性変形させながら、第３係止用爪部１７をスライド方向１６へ引き上げる。
【００４１】
次に、カバー１を筐体２に装着してロックする動作について説明する。まず、第２係止用爪部１４を係脱部１５ｃに挿し込む。そして、押さえ部１２ａを押しながら第１係止用爪部１２を第１係止部１３へ押し込む。それと同時に、押さえ部１４ａおよび押さえ部１７ａを押しながら、カバー１をスライド方向１６とは逆の方向へスライドさせ、第２係止用爪部１４をスライド防止用突起部１５ｂを避けて咬合部１５ａへ入れると共に、第３係止用爪部１７を第３係止部１８へ押し込む。合計５つの係止用爪部をそれぞれ対応する係止部へ差し込んで、各係止用爪部の折り曲げられた先端が各係止部に引っかかることによって、カバー１が筐体２にロックされる。
【００４２】
次に、カバー１を筐体２から取り外すためにロックを解除する動作について説明する。ロック解除の第１段階として、カバー１の押さえ部１４ａを押して、咬合部１５ａにある第２係止用爪部１４がスライド防止用突起部１５ｂを乗り越えられる位置にくるよう弾性変形させる。それと同時に、カバー１の押さえ部１２ａおよび押さえ部１７ａを押して、第１係止用爪部１２と第１係止部１３との係止、および第３係止用爪部１７と第３係止部１８との係止をそれぞれ外す。この状態にすることで初めてカバー１をスライド方向１６へスライド可能となる。そして、ロック解除の第２段階として、押さえ部１４ａを押しながらカバー１をスライド方向１６へスライドさせて、第２係止用爪部１４を咬合部１５ａから係脱部１５ｃへ移動し、カバー１を横へずらして、第２係止用爪部１４を係脱部１５ｃから引き抜く。
【００４３】
ロック機構は上述の手順で解除するため、第１係止部１３、第２係止部１５または第３係止部１８のうちのいずれか一方の係止を外すだけでは、カバー１を筐体２から取り外すことはできない。上記実施の形態２同様に、例えば、押さえ部１２ａを押すことで第１係止用爪部１２と第１係止部１３との係止は外れる。しかし、カバー１は第２係止用爪部１４と第２係止部１５との係止および第３係止用爪部１７と第３係止部１８との係止によって水平方向にも垂直方向にもロックされている。
【００４４】
また、例えば、押さえ部１４ａを押すことで第２係止用爪部１４がスライド防止用突起部１５ｂを乗り越える位置に弾性変形する。しかし、第２係止用爪部１４の折り曲がった先端が咬合部１５ａに引っかかるために水平方向にロックされ、かつ、第１係止用爪部１２と第１係止部１３とが係止しているために垂直方向にもロックされている。
【００４５】
さらに、押さえ部１７ａを押すことで第３係止用爪部１７と第３係止部１８との係止は外れる。しかし、カバー１は第２係止用爪部１４の折り曲がった先端が咬合部１５ａに引っかかるために水平方向にロックされ、かつ、第１係止用爪部１２と第１係止部１３とが係止しているために垂直方向にもロックされているので、カバー１を取り外すことはできない。
【００４６】
押さえ部１２ａを押しながら無理やりにカバー１を水平方向または垂直方向にスライドさせたとしても、カバー１は第２係止用爪部１４および第３係止用爪部１５によって水平方向および垂直方向にロックされているため、ロック機構の構造を知らないエンドユーザにはロックを解除することは困難となる。そのため、エンドユーザに無理やりカバー１を取り外されることを防止できる。一方、ロック機構の構造を予め知る工事作業者のカバー１の取り付けおよび取り外し作業の容易性を損なうことはない。
【００４７】
以上のように、実施の形態３によれば、第３係止部１８および第３係止用爪部１７を設けることによって、第１係止部と第１係止用爪部を複数設けるように構成した。このため、上記実施の形態１および２に示す効果に加えて、エンドユーザに無理やりカバー１を取り外されることを防止できるロック機構を得ることができる。
【００４８】
実施の形態４．
上記実施の形態１−３ではロック機構が直方体のカバー１に形成された構成としたが、この実施の形態４ではロック機構を平面形状のカバーで形成した構成を説明する。
【００４９】
図７および８はそれぞれ、この実施の形態４に係るロック機構の構成を示す外観斜視図である。図８は、図７に示すロック機構を奥側から手前側方向にみた状態を示す。図７および図８に示す筐体２ａに取り付けられるカバー１ａには、係止用爪部１９、スライド防止用爪部２１、引っかかり部２２が形成されている。係止用爪部１９は、その先端を折り曲げ、カバー１ａ上面と平行な方向に突設する。スライド防止用爪部２１は、係止用爪部１９を突設した方向と直交する方向に突設する。引っかかり部２２は、カバー１ａを筐体２ａから取り外すときにスライドさせる方向を示す矢印、またはスライドしやすくするために指が引っかかるような窪み等である。
【００５０】
筐体２ａの開口周縁部には、係止用爪部１９を係止する係止部２０およびスライド防止用爪部２１を引っかけてカバー１ａがスライド方向２４へスライドすることを防止するスライド防止用突起部２３が設けられている。スライド防止用突起部２３は、カバー１ａを筐体２ａに装着したときにスライド防止用爪部２１がカバー１ａを筐体２ａから取り外すためのスライド方向２４へスライドすることを防止する凸状の突起である。また、スライド防止用爪部２１は、筐体２ａに引っかかることにより、カバー１ａが持ち上がることを防止する。
【００５１】
係止用爪部１９および係止部２０はそれぞれ、上記実施の形態１に係るロック機構の第１係止用爪部３および第１係止部４と同様の機能を有するため、ここでの詳細な説明は省略する。
【００５２】
次に、カバー１ａを筐体２ａに装着してロックする動作について説明する。まずカバー１ａを筐体２ａのカバー１ａ装着部分に乗せ、押さえ部２１ａを押してスライド防止用爪部２１を弾性変形させてスライド防止用突起部２３の下をくぐらせながら、カバー１ａをスライド方向２４とは逆方向にスライドさせ、係止用爪部１９を係止部２０へ押し込む。係止用爪部１９の折り曲げられた先端が係止部２０に引っかかることによって係止され、カバー１ａは水平方向にスライドしなくなり、筐体２ａにロックされる。さらに、スライド防止用爪部２１のスライド方向２４側に位置するスライド防止用突起部２３が、スライド防止用爪部２１と掛止して、カバー１ａがスライド方向２４へスライドすることを防止する。
【００５３】
次に、カバー１ａを筐体２ａから取り外すためにロックを解除する動作について説明する。ロック解除の第１段階として、カバー１ａの押さえ部２１ａを押して、スライド防止用爪部２１がスライド防止用突起部２３の下をくぐることができる位置にくるよう弾性変形させる。同時に引っかかり部２２を押して、係止用爪部１９と係止部２０との係止を外す。この状態にすることで初めてカバー１ａをスライド方向２４へスライド可能となる。そして、ロック解除の第２段階として、押さえ部２１ａを押しながらカバー１ａをスライド方向２４へスライドさせて、スライド防止用爪部２１がスライド防止用突起部２３の下を完全にくぐり抜ける位置まで移動させる。
【００５４】
ロック機構は上述の手順で解除するため、係止部２０の係止を外すだけではカバー１ａを筐体２ａから取り外すことはできない。例えば、引っかかり部２２を押すことで係止用爪部１９と係止部２０との係止は外れる。しかし、カバー１ａはスライド防止用爪部２１とスライド防止用突起部２３との掛止によって水平方向および垂直方向にロックされている。
【００５５】
また、例えば、押さえ部２１ａを押すことでスライド防止用爪部２１はスライド防止用突起部２３との掛止が外れる位置に弾性変形する。しかし、スライド防止用爪部２１が筐体２ａに引っかかり持ち上げることはできず、さらに、係止用爪部１９と係止部２０との係止によって水平方向にもロックされている。
【００５６】
以上のように、実施の形態４によれば、カバー１ａは、平面形状を有しており、筐体２ａの開口周縁部にスライドさせて開口部を被覆するように構成した。このため、上記実施の形態１に示す効果に加えて、ロック機構を薄型化することができる。従って、ロック機構が占有する容積を減らすことにより、装置自体の薄型化および小型化を図ることが可能となる。
【００５７】
なお、上記実施の形態４では、係止用爪部１９が突設されたカバー１ａの一端にロック解除のスライド方向を示す矢印である引っかかり部２２を設ける構成であったが、図９および図１０に示すように、引っかかり部２２を設けない構成であってもよい。
図９および図１０において図７および図８と同一または相当の部分については同一の符号を付し説明を省略する。図９および図１０に示すロック機構は、カバー１ｂに引っかかり部２２を設けない以外は上記実施の形態４と同一の構成である。係止用爪部１９と係止部２０との係止を外す場合には、引っかかり部２２のかわりに押さえ部１９ａを押せばよい。
この構成の場合であっても、実施の形態４と同様の効果を得ることができる。さらに、引っかかり部２２を設けない構成とすることで、構造を知らないエンドユーザがロックを解除することがさらに困難なロック機構を得ることができる。
【００５８】
上記実施の形態４では、係止用爪部１９が突設されたカバー１ａの一端にロック解除のスライド方向を示す矢印である引っかかり部２２を設ける構成であったが、上記実施の形態１−３においても第１係止用爪部近傍に同様の引っかかり部２２を設けることができる。
【００５９】
上記実施の形態１−４において、本発明の実施形態を図面を参照して詳述してきたが、具体的な構成は、上述した実施の形態１−４の構成に限られるものではなく、本発明の要旨を逸脱しない範囲の設計の変更などがあっても本発明に含まれることは言うまでもない。
【図面の簡単な説明】
【００６０】
【図１】この発明の実施の形態１に係るロック機構の構成を示す外観斜視図である。
【図２】この発明の実施の形態１に係るロック機構を他方側からみた構成を示す外観斜視図である。
【図３】この発明の実施の形態２に係るロック機構の構成を示す外観斜視図である。
【図４】この発明の実施の形態２に係るロック機構を他方側からみた構成を示す外観斜視図である。
【図５】この発明の実施の形態３に係るロック機構の構成を示す外観斜視図である。
【図６】この発明の実施の形態３に係るロック機構を他方側からみた構成を示す外観斜視図である。
【図７】この発明の実施の形態４に係るロック機構の構成を示す外観斜視図である。
【図８】この発明の実施の形態４に係るロック機構を他方側からみた構成を示す外観斜視図である。
【図９】この発明の実施の形態４に係るロック機構のその他の構成を示す外観斜視図である。
【図１０】この発明の実施の形態４に係るロック機構のその他の構成を他方側からみた外観斜視図である。
【符号の説明】
【００６１】
１  カバー、２  筐体、３  第１係止用爪部、４  第１係止部、５  第２係止用爪部、６  第２係止部、６ａ  咬合部、６ｂ  スライド防止用突起部、６ｃ  係脱部、７  スライド方向、８  光コネクタ、９  ケーブル、１０  光コネクタ挿着部、１１  切り欠き部。
【図１】
0004994214.tif 000002
【図２】
0004994214.tif 000003
【図３】
0004994214.tif 000004
【図４】
0004994214.tif 000005
【図５】
0004994214.tif 000006
【図６】
0004994214.tif 000007
【図７】
0004994214.tif 000008
【図８】
0004994214.tif 000009
【図９】
0004994214.tif 000010
【図１０】
0004994214.tif 000011